【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
複数の画像処理装置が提供する機能を連携して処理を実行する手順を定義したプロセス定義ファイルを管理し、該プロセス定義ファイルを更新可能な管理装置と、他の画像処理装置と、に接続可能な画像処理装置であって、
ユーザを認証する認証手段と、
認証が成功すると、認証されたユーザの識別情報に対応付けられた前記プロセス定義ファイルの使用履歴を示す履歴情報から、該プロセス定義ファイルを選択可能に表示する選択画面を表示する表示手段と、
前記ユーザによって操作部を介して入力された情報に従って、前記プロセス定義ファイルを選択する選択手段と、
選択された前記プロセス定義ファイルを前記管理装置から取得する取得手段と、
取得した前記プロセス定義ファイルと、過去に使用された前記プロセス定義ファイルとを比較する比較手段と、
前記比較手段による比較の結果、プロセス定義ファイルによって定義された処理の内容が異なっている場合、前記ユーザに対して過去に使用された前記プロセス定義ファイルとは異なるプロセス定義ファイルを使用するか否かをユーザに問い合わせる問い合わせ手段と
を備えることを特徴とする画像処理装置。
【請求項２】
前記比較手段による比較の結果、プロセス定義ファイルによって定義された処理の内容が異なっていない場合、又は、プロセス定義ファイルによって定義された処理の内容が異なっており、かつ、前記問い合わせ手段による問い合わせにより前記異なるプロセス定義ファイルを使用する指示が得られた場合に、前記管理装置から取得した前記プロセス定義ファイルに従って処理を実行する実行手段と、
前記実行手段による実行結果と、使用した前記プロセス定義ファイルとを、該プロセス定義ファイルに定義された次の処理を実行する装置となる前記他の画像処理装置に送信する送信手段と、
使用した前記プロセス定義ファイルを前記履歴情報として保存する保存手段と
をさらに備えることを特徴とする請求項１に記載の画像処理装置。
【請求項３】
前記保存手段は、
前記履歴情報として、前記ユーザの識別情報と、前記プロセス定義ファイルの識別情報と、前記プロセス定義ファイルの内容とを保存することを特徴とする請求項２に記載の画像処理装置。
【請求項４】
前記保存手段は、
前記履歴情報として、前記ユーザの識別情報と、前記プロセス定義ファイルの識別情報と、前記プロセス定義ファイルのハッシュ値とを保存し、
前記比較手段は、
取得した前記プロセス定義ファイルのハッシュ値と、過去に使用された前記プロセス定義ファイルのハッシュ値とを比較することを特徴とする請求項２に記載の画像処理装置。
【請求項５】
前記保存手段は、
前記履歴情報として、前記ユーザの識別情報と、前記プロセス定義ファイルの識別情報と、前記プロセス定義ファイルに定義された処理ごとのハッシュ値とを保存し、
前記比較手段は、
取得した前記プロセス定義ファイルに定義された処理ごとのハッシュ値と、過去に使用された前記プロセス定義ファイルに定義された処理ごとのハッシュ値とを比較することを特徴とする請求項２に記載の画像処理装置。
【請求項６】
前記保存手段による保存内容を選択する手段を備え、
前記保存手段は、
前記履歴情報として、前記ユーザの識別情報と、前記プロセス定義ファイルの識別情報と、前記プロセス定義ファイルに定義された内容の中から前記保存内容として選択された内容を保存し、
前記比較手段は、
取得した前記プロセス定義ファイルに定義された内容であって前記保存内容として選択された内容と、過去に使用された前記プロセス定義ファイルに定義された内容であって前記保存内容として選択された内容とを比較することを特徴とする請求項２に記載の画像処理装置。
【請求項７】
前記実行手段は、原稿から画像を読み取る読取処理を実行し、
前記送信手段は、前記実行手段による実行結果として、前記原稿から読み取られた画像データを送信し、
前記他の画像処理装置は、前記プロセス定義ファイルに定義された送信先に前記画像データを送信することを特徴とする請求項２乃至６の何れか１項に記載の画像処理装置。
【請求項８】
複数の画像処理装置が提供する機能を連携して処理を実行する手順を定義したプロセス定義ファイルを管理し、該プロセス定義ファイルを更新可能な管理装置と、前記複数の画像処理装置と、を備える画像処理システムであって、
各画像処理装置は、
ユーザを認証する認証手段と、
認証が成功すると、認証されたユーザの識別情報に対応付けられた前記プロセス定義ファイルの使用履歴を示す履歴情報から、該プロセス定義ファイルを選択可能に表示する選択画面を表示する表示手段と、
前記ユーザによって操作部を介して入力された情報に従って、前記プロセス定義ファイルを選択する選択手段と、
選択された前記プロセス定義ファイルを前記管理装置から取得する取得手段と、
取得した前記プロセス定義ファイルと、過去に使用された前記プロセス定義ファイルとを比較する比較手段と、
前記比較手段による比較の結果、プロセス定義ファイルによって定義された処理の内容が異なっている場合、前記ユーザに対して過去に使用された前記プロセス定義ファイルとは異なるプロセス定義ファイルを使用するか否かをユーザに問い合わせる問い合わせ手段と
を備えることを特徴とする画像処理システム。
【請求項９】
複数の画像処理装置が提供する機能を連携して処理を実行する手順を定義したプロセス定義ファイルを管理し、該プロセス定義ファイルを更新可能な管理装置と、他の画像処理装置と、に接続可能な画像処理装置の制御方法であって、
認証手段が、ユーザを認証する認証ステップと、
表示手段が、認証が成功すると、認証されたユーザの識別情報に対応付けられた前記プロセス定義ファイルの使用履歴を示す履歴情報から、該プロセス定義ファイルを選択可能に表示する選択画面を表示する表示ステップと、
選択手段が、前記ユーザによって操作部を介して入力された情報に従って、前記プロセス定義ファイルを選択する選択ステップと、
取得手段が、選択された前記プロセス定義ファイルを前記管理装置から取得する取得ステップと、
比較手段が、取得した前記プロセス定義ファイルと、過去に使用された前記プロセス定義ファイルとを比較する比較ステップと、
問い合わせ手段が、前記比較手段による比較の結果、プロセス定義ファイルによって定義された処理の内容が異なっている場合、前記ユーザに対して過去に使用された前記プロセス定義ファイルとは異なるプロセス定義ファイルを使用するか否かをユーザに問い合わせる問い合わせステップと
を実行することを特徴とする画像処理装置の制御方法。
【請求項１０】
複数の画像処理装置が提供する機能を連携して処理を実行する手順を定義したプロセス定義ファイルを管理し、該プロセス定義ファイルを更新可能な管理装置と、前記複数の画像処理装置と、を備える画像処理システムの制御方法であって、
各画像処理装置が、
認証手段が、ユーザを認証する認証ステップと、
表示手段が、認証が成功すると、認証されたユーザの識別情報に対応付けられた前記プロセス定義ファイルの使用履歴を示す履歴情報から、該プロセス定義ファイルを選択可能に表示する選択画面を表示する表示ステップと、
選択手段が、前記ユーザによって操作部を介して入力された情報に従って、前記プロセス定義ファイルを選択する選択ステップと、
取得手段が、選択された前記プロセス定義ファイルを前記管理装置から取得する取得ステップと、
比較手段が、取得した前記プロセス定義ファイルと、過去に使用された前記プロセス定義ファイルとを比較する比較ステップと、
問い合わせ手段が、前記比較手段による比較の結果、プロセス定義ファイルによって定義された処理の内容が異なっている場合、前記ユーザに対して過去に使用された前記プロセス定義ファイルとは異なるプロセス定義ファイルを使用するか否かをユーザに問い合わせる問い合わせステップと
を実行することを特徴とする画像処理システムの制御方法。
【請求項１１】
請求項９に記載の画像処理装置の制御方法をコンピュータに実行させるためのプログラム。
【請求項１２】
請求項１０に記載の画像処理システムの制御方法をコンピュータに実行させるためのプログラム。
【手続補正２】
【補正対象書類名】明細書
【補正対象項目名】０００８
【補正方法】変更
【補正の内容】
【０００８】
本発明は、例えば、複数の画像処理装置が提供する機能を連携して処理を実行する手順を定義したプロセス定義ファイルを管理し、プロセス定義ファイルを更新可能な管理装置と、他の画像処理装置と、に接続可能な画像処理装置として実現できる。本画像処理装置は、予め格納されているユーザの識別情報を用いてユーザを認証する認証手段と、認証が成功すると、識別情報に対応付けられたプロセス定義ファイルの使用履歴を示す履歴情報から、プロセス定義ファイルを選択可能に表示する選択画面を表示し、ユーザによって操作部を介して入力された情報に従って、プロセス定義ファイルを選択する選択手段と、選択されたプロセス定義ファイルを管理装置から取得する取得手段と、取得したプロセス定義ファイルと、過去に使用されたプロセス定義ファイルとを比較し、一致するか否かを判定する判定手段と、判定手段によって一致しないと判定されると、ユーザに対して過去に使用されたプロセス定義ファイルとは異なるプロセス定義ファイルを使用するか否かをユーザに問い合わせる問い合わせ手段とを備えることを特徴とする。